(57)【要約】【課題】本発明は、電子機器において、待機モード時に、電源管理等を行う管理用ＣＰＵを含めて低消費電力化対策を施すことにより、待機モード時の消費電力低減をさらに図ることにある。【解決手段】商用電源電圧の入力を受け所定の直流電圧を生成するスイッチング電源１００と、画像処理用回路を制御するＣＰＵ１６と、スイッチング電源１００を制御するＣＰＵ１７と、スイッチング電源１００からＣＰＵ１６及び１７に電圧を供給する通常モードと、スイッチング電源１００の動作を停止させてＣＰＵ１６及び１７への電圧の供給を停止する低消費電力待機モードとを切り替えるモード切替回路とを備えることを特徴とする電子機器。【選択図】図２
2006136100.tif 000002
【特許請求の範囲】
【請求項１】
画像処理用回路を制御するメインＣＰＵと、電源等の管理を制御する管理用ＣＰＵとを
備え、前記メインＣＰＵ及び前記管理用ＣＰＵに電圧を供給する通常モードと、前記メイ
ンＣＰＵ及び前記管理用ＣＰＵの何れにも電圧を供給しない低消費電力待機モードとを切
り替えて動作する電子機器において、
ラッチ回路と、セレクタ回路と、フォトＭＯＳリレーと、セレクタ回路の接点を切り替
えるためのトランジスタと、蓄電手段とを備え、
低消費電力待機モードに移行する際に、前記管理用ＣＰＵから前記セレクタ回路を介し
て前記フォトＭＯＳリレーを駆動し、前記フォトＭＯＳリレーからの出力によって前記ス
イッチング回路を停止させ、前記スイッチング電源の停止により前記トランジスタを遮断
状態として前記セレクタ回路を前記ラッチ回路に接続し、前記ラッチ回路の出力を前記セ
レクタ回路を介して前記フォトＭＯＳリレーに供給し、前記フォトＭＯＳリレーからの出
力によって前記スイッチング電源の停止を継続し、
低消費電力待機モードから通常モードに復帰する際には、前記ラッチ回路の出力を反転
させ、反転した出力を前記セレクタ回路を介してフォトＭＯＳリレーに供給し、前記フォ
トＭＯＳリレーの出力に応じて前記スイッチング電源を動作させ、前記スイッチング電源
の動作により前記トランジスタを導通状態として前記セレクタ回路を前記管理用ＣＰＵに
接続し、前記管理用ＣＰＵの出力を前記セレクタ回路を介して前記フォトＭＯＳリレーに
供給し、前記フォトＭＯＳリレーからの出力によって前記スイッチング電源の動作を継続
させることを特徴とする電子機器。
【請求項２】
商用電源電圧の入力を受け所定の直流電圧を生成するスイッチング電源と、
画像処理用回路を制御する第１のＣＰＵと、
前記スイッチング電源を制御する第２のＣＰＵと、
前記スイッチング電源から前記第１のＣＰＵ及び前記第２のＣＰＵに電圧を供給する通
常モードと、前記スイッチング電源の動作を停止させて前記第１のＣＰＵ及び前記第２の
ＣＰＵへの電圧の供給を停止する低消費電力待機モードとを切り替えるモード切替回路と
、を備えることを特徴とする電子機器。
【請求項３】
前記モード切替回路は、
前記スイッチング回路の動作を許可する許可信号又は停止させる前記スイッチング回路
の動作を停止させる不許可信号の何れかを出力するラッチ回路と、
前記第２のＣＰＵ又は前記ラッチ回路から前記許可信号又は前記不許可信号を受け付け
て、前記スイッチング回路の動作を動作又は停止させる許可回路とを含み、
前記低消費電力待機モードに移行する場合には、前記許可回路は、前記第２のＣＰＵか
ら前記不許可信号を受け付けて前記スイッチング回路を停止させた後、前記ラッチ回路か
らの前記不許可信号を受け付けて前記スイッチング回路の停止を継続する、
ことを特徴とする電子機器。
【請求項４】
前記許可回路は、前記第２のＣＰＵまたは前記ラッチ回路何れかに接続を切り替えるセ
レクタ回路を含むことを特徴とする、請求項３に記載の電子機器。
【請求項５】
前記許可回路は、
前記スイッチング電源の出力端子に接続され、前記スイッチング電源の動作時には前記
セレクタ回路が前記第２のＣＰＵから入力を受け付けるように切り替え、前記スイッチン
グ電源停止時には前記セレクタ回路が前記ラッチ回路から入力を受け付けるように切り替
える接続切替回路をさらに含むことを特徴とする、請求項４に記載の電子機器。
【請求項６】
前記スイッチング電源は、スイッチング回路と、前記スイッチング回路の出力電圧を降
圧するトランスとを含み、
前記許可回路は、  
前記トランスの２次側から電圧の供給を受けて動作しかつ前記セレクタ回路の出力を光
学的に前記トランスの１次側に伝達し、前記スイッチング回路を動作又は停止させる光ス
イッチであることを特徴とする、請求項４に記載の電子機器。
【請求項７】
前記低消費電力待機モード移行後において、前記ラッチ回路及び前記許可回路に電圧を
供給する蓄電手段をさらに備えることを特徴とする、請求項２乃至６の何れかに記載の電
子機器。
【発明の詳細な説明】
【技術分野】
【０００１】
本発明は、電子機器、特に、スイッチング電源を搭載した電子機器に関する。
【背景技術】
【０００２】
スイッチング電源を搭載した電子機器の従来の構成が、例えば特許文献１乃至３に記載
されている。特許文献１乃至３には、テレビジョン受信機のスイッチング電源の構成が記
載されている。
【０００３】
特許文献１には、待機動作時において、主負荷（メインＣＰＵ）に電圧を供給するスイ
ッチング電源のスイッチングトランジスタを商用電源の半周期ごとに停止させ消費低減を
図るテレビジョン受信機が記載されている。
【０００４】
特許文献２には、小型携帯電子機器に搭載されるスイッチング電源が記載されている。
このスイッチング電源では、スイッチング電源の負荷状態を検出する負荷状態検出回路を
トランス２次側に設け、当該検出回路からの検出結果に基づいて、スイッチングトランジ
スタのスイッチング速度を調整する。具体的には、負荷状態が通常状態であれば、比較的
遅いスイッチング速度でスイッチングトランジスタをスイッチングしてノイズ低減を図り
、スイッチングノイズが小さい軽負荷状態であれば、スイッチング速度を速くして低消費
電力化を図っている。
【０００５】
特許文献３には、複写機等の電子機器に搭載されるスイッチング電源が記載されている
。このスイッチング電源では、負荷が軽負荷となる待機モードにおいて、スイッチングト
ランジスタに流すベース電流を減少させることにより、スイッチングトランジスタでの電
力消費量を低減している。
【特許文献１】特開平６−１３３５５１号公報（第１−２図）
【特許文献２】特開平１１−１４６６４１号公報（第１図）
【特許文献３】特開２００１−４５７５０号公報（第１−２図）
【発明の開示】
【発明が解決しようとする課題】
【０００６】
テレビジョン受信機では、図１に示すように、待機モード時においてメインＣＰＵへの
電圧供給を停止して低消費電力で待機状態を保てるようにしている。しかしながら、今後
、テレビジョン受信機の待機時における消費電力低減の要求がさらに厳しくなると思われ
、メインＣＰＵを停止させる従来の方法では、今後、待機時の低消費電力化の要求に対応
できない虞がある。ところで、テレビジョン受信機には、画像処理用のＬＳＩ等を制御す
るメインＣＰＵの他に、電源の管理等を行うＣＰＵ（以下、管理用ＣＰＵという）が搭載
されており、待機モードこの管理用ＣＰＵの電力消費も含めて低消費電力化対策を施す必
要がある。また、各ＣＰＵに電圧を供給するスイッチング電源自体の消費電力も、待機時
における低消費電力化の妨げになる。
【０００７】
上記特許文献には、スイッチング電源のスイッチングトランジスタのスイッチングロス
を低減する方法について記載されているが、待機時においてスイッチング電源を動作させ
て管理用ＣＰＵに電圧を供給しており、これらの文献に記載された方法では待機動作時の
低消費電力化に限界がある。
【０００８】
本発明は、電子機器において、待機モード時に、電源管理等を行う管理用ＣＰＵを含め
て低消費電力化対策を施すことにより、待機モード時の消費電力低減をさらに図ることに
ある。
【課題を解決するための手段】
【０００９】
第１発明に係る電子機器は、画像処理用回路を制御するメインＣＰＵと、電源等の管理
を制御する管理用ＣＰＵとを備え、前記メインＣＰＵ及び前記管理用ＣＰＵに電圧を供給
する通常モードと、前記メインＣＰＵ及び前記管理用ＣＰＵの何れにも電圧を供給しない
低消費電力待機モードとを切り替えて動作する電子機器に関する。この電子機器は、ラッ
チ回路と、セレクタ回路と、フォトＭＯＳリレーと、セレクタ回路の接点を切り替えるた
めのトランジスタと、蓄電手段とを備える。
【００１０】
この電子機器では、低消費電力待機モードに移行する際に、前記管理用ＣＰＵから前記
セレクタ回路を介して前記フォトＭＯＳリレーを駆動し、前記フォトＭＯＳリレーからの
出力によって前記スイッチング回路を停止させ、前記スイッチング電源の停止により前記
トランジスタを遮断状態として前記セレクタ回路を前記ラッチ回路に接続し、前記ラッチ
回路の出力を前記セレクタ回路を介して前記フォトＭＯＳリレーに供給し、前記フォトＭ
ＯＳリレーからの出力によって前記スイッチング電源の停止を継続する。
【００１１】
また、低消費電力待機モードから通常モードに復帰する際には、前記ラッチ回路の出力
を反転させ、反転した出力を前記セレクタ回路を介してフォトＭＯＳリレーに供給し、前
記フォトＭＯＳリレーの出力に応じて前記スイッチング電源を動作させ、前記スイッチン
グ電源の動作により前記トランジスタを導通状態として前記セレクタ回路を前記管理用Ｃ
ＰＵに接続し、前記管理用ＣＰＵの出力を前記セレクタ回路を介して前記フォトＭＯＳリ
レーに供給し、前記フォトＭＯＳリレーからの出力によって前記スイッチング電源の動作
を継続させることを特徴とする。
【００１２】
この電子機器によれば、低消費電力待機モードに移行することにより、スイッチング電
源を停止させて、メインＣＰＵに加え、管理用ＣＰＵへの電圧の供給を停止するため、待
機時における消費電力を大幅に低減することができる。
【００１３】
この電子機器では、管理用ＣＰＵからの不許可信号によりスイッチング電源を停止させ
た後は第２のＣＰＵは停止するが、ラッチ回路にラッチされている論理によりスイッチン
グ電源の停止を継続することができる。
【００１４】
この電子機器では、セレクタ回路により管理用ＣＰＵまたはラッチ回路の何れかに入力
を切り替えることができる。
この電子機器では、スイッチング電源の動作／停止を利用して簡易にセレクタ回路を切り
替えることができる。
【００１５】
この電子機器によれば、スイッチング電源を停止し低消費電力待機モードに移行した後
にも、再度スイッチング電源を起動するための処理をするためにモード切替回路に電圧を
供給しておくことが可能である。
【００１６】
この電子機器では、待機時の電力を消費する構成は、ラッチ回路、セレクタ回路及びフ
ォトＭＯＳリレーのみであり、大幅な低消費電力化を図ることができる。
【００１７】
第２発明に係る電子機器は、商用電源電圧の入力を受け所定の直流電圧を生成するスイ
ッチング電源と、画像処理用回路を制御する第１のＣＰＵと、前記スイッチング電源を制
御する第２のＣＰＵと、前記スイッチング電源から前記第１のＣＰＵ及び前記第２のＣＰ
Ｕに電圧を供給する通常モードと、前記スイッチング電源の動作を停止させて前記第１の
ＣＰＵ及び前記第２のＣＰＵへの電圧の供給を停止する低消費電力待機モードとを切り替
えるモード切替回路と、を備えることを特徴とする。
【００１８】
この電子機器によれば、低消費電力待機モードに移行することにより、第１のＣＰＵに
加え、第２のＣＰＵへの電圧の供給を停止するため、待機時における消費電力を大幅に低
減することができる。
【００１９】
第３発明に係る電子機器は、第２発明に係る電子機器において、前記モード切替回路は
、前記スイッチング回路の動作を許可する許可信号又は停止させる前記スイッチング回路
の動作を停止させる不許可信号の何れかを出力するラッチ回路と、前記第２のＣＰＵ又は
前記ラッチ回路から前記許可信号又は前記不許可信号を受け付けて、前記スイッチング回
路の動作を動作又は停止させる許可回路とを含み、前記低消費電力待機モードに移行する
場合には、前記許可回路は、前記第２のＣＰＵから前記不許可信号を受け付けて前記スイ
ッチング回路を停止させた後、前記ラッチ回路からの前記不許可信号を受け付けて前記ス
イッチング回路の停止を継続する。
【００２０】
この電子機器では、第２のＣＰＵからの不許可信号によりスイッチング電源を停止させ
た後は第２のＣＰＵは停止するが、ラッチ回路にラッチされている論理によりスイッチン
グ電源の停止を継続することができる。
【００２１】
第４発明に係る電子機器は、第３発明に係る電子機器において、前記許可回路は、前記
第２のＣＰＵまたは前記ラッチ回路何れかに接続を切り替えるセレクタ回路を含むことを
特徴とする。
【００２２】
この電子機器では、セレクタ回路により第２のＣＰＵまたはラッチ回路の何れかに入力
を切り替えることができる。
【００２３】
第５発明に係る電子機器は、第４発明に係る電子機器において、前記許可回路は、前記
スイッチング電源の出力端子に接続され、前記スイッチング電源の動作時には前記セレク
タ回路が前記第２のＣＰＵから入力を受け付けるように切り替え、前記スイッチング電源
停止時には前記セレクタ回路が前記ラッチ回路から入力を受け付けるように切り替える接
続切替回路をさらに含むことを特徴とする。
【００２４】
この電子機器では、スイッチング電源の動作／停止を利用して簡易にセレクタ回路を切
り替えることができる。
【００２５】
第６発明に係る電子機器は、第４発明に係る電子機器において、記スイッチング電源は
、スイッチング回路と、前記スイッチング回路の出力電圧を降圧するトランスとを含む。
また、前記許可回路は、前記トランスの２次側から電圧の供給を受けて動作しかつ前記セ
レクタ回路の出力を光学的に前記トランスの１次側に伝達し、前記スイッチング回路を動
作又は停止させる光スイッチであることを特徴とする。
この電子機器では、スイッチング電源の出力側であるトランスの２次側の直流電圧を利用
してモード切替回路を構成するとともに、スイッチング電源のトランスの１次側と２次側
とを電気的に絶縁した状態で、トランスの１次側のスイッチング回路にモード切替のため
の信号を伝達することができる。  
【００２６】
第７発明に係る電子機器は、第２乃至第６発明の何れかにおいて、前記低消費電力待機
モード移行後において、前記ラッチ回路及び前記許可回路に電圧を供給する蓄電手段をさ
らに備えることを特徴とする。
【００２７】
この電子機器によれば、スイッチング電源を停止し低消費電力待機モードに移行した後
にも、再度スイッチング電源を起動するための処理をするためにモード切替回路に電圧を
供給しておくことが可能である。
【発明の効果】
【００２８】
本発明によれば、電子機器において、待機モード時に、電源管理等を行う管理用ＣＰＵ
を含めて低消費電力化対策を施すことにより、待機モード時の消費電力低減をさらに図る
ことができる。
【発明を実施するための最良の形態】
【００２９】
［スイッチング電源］
図２は、本発明の一実施形態に係るテレビジョン受信機のスイッチング電源１００の回
路図である。このスイッチング電源１００は、商用電源の電圧を整流平滑する整流回路１
及びコンデンサ２と、整流平滑された電圧をスイッチングするスイッチング回路４と、ス
イッチング回路４でスイッチングされた電圧を降圧するトランス３と、トランス３で降圧
された電圧を整流平滑するダイオード７及びコンデンサ８と、整流平滑された電圧（出力
電圧）を検出するシャントレギュレータ９と、シャントレギュレータ９で検出された出力
電圧の検出電圧をスイッチング回路４にフィードバックするフォトカプラＰＣ１とを備え
ている。ここで、メインＣＰＵ１６は、画像処理用ＬＳＩ等を制御するＣＰＵである。管
理用ＣＰＵは、リアルタイムクロック、バックアップメモリ等を備え、スイッチング電源
１００を含む電源の管理等を行うＣＰＵである。
【００３０】
このスイッチング電源１００では、商用電源からの交流電圧を整流回路１及びコンデン
サ２で整流平滑して直流電圧とし、その直流電圧をスイッチング回路４でパルス電圧に変
換し、このパルス電圧をトランス３で降圧した後、ダイオード７及びコンデンサ８で整流
平滑して直流電圧を出力端子ＯＵＴに出力する。
【００３１】
［動作モード］
このスイッチング電源１００は、通常モード、待機モード、低消費電力待機モードの３
つのモードで動作する。通常モードでは、スイッチング電源１００は、メインＣＰＵ１６
、管理用ＣＰＵ１７を含むテレビジョン受信機の各種回路に電圧を供給する。待機モード
では、メインＣＰＵ１６への電圧の供給を停止し、管理用ＣＰＵ１７へのみ電源を供給す
る。待機モードは、従来の待機モードと同様に、管理用ＣＰＵ１７を動作状態に保持し、
リモコン等からのパワーオン信号を受信してテレビジョン受信機を立ち上げることができ
るモードである。低消費電力待機モードは、スイッチング電源１００の動作を停止させ、
メインＣＰＵ１６に加え管理用ＣＰＵ１７への電圧の供給も停止するモードである。低消
費電力待機モードでは、スイッチング電源１００を停止するため、待機モードに比較して
大幅に消費電力を低減できる。
【００３２】
［モード切替回路］
以下、低消費電力待機モードを実行するためのモード切替回路２００の回路構成及びそ
の動作について説明する。
【００３３】
モード切替回路２００は、低消費電力待機モードを実行するために以下の回路構成を備
えている。具体的には、Ｈ端子又はＬ端子の信号の何れかをフォトＭＯＳリレーＰＣ２に
供給するセレクタスイッチ１０と、“Ｌｏｗ”をラッチするラッチ回路１１と、セレクタ
スイッチ１０から“Ｌｏｗ”が出力される場合に論理“Ｌｏｗ”をスイッチング回路４に
出力するフォトＭＯＳリレーＰＣ２と、フォトＭＯＳリレーＰＣ２から論理“Ｌｏｗ”の
入力を受けてスイッチング回路４が停止した場合に、セレクタスイッチ１０をＨ端子側に
切り替えるトランジスタＴｒ１と、スイッチング回路１００の停止中を含め電圧Ｖｄを供
給するコンデンサ１５とを備えている。
【００３４】
［通常動作モード］
通常動作モードでは、スイッチング回路４が動作し、出力端子ＯＵＴからメインＣＰＵ
１６、管理用ＣＰＵ１７を含む各種回路に電圧が供給される。
【００３５】
通常動作モード時には、図３上段に示すように、セレクタスイッチ１０はＬ端子が出力
端子に接続されている。また、管理用ＣＰＵ１７はパワー制御信号（ＣＰＵ  Ｐｏｗｅｒ
Ｃｏｎｔ．）として“Ｈ”（電圧Ｖｄ）を出力する。従って、セレクタスイッチ１０の
Ｌ端子には“Ｈ”が入力され、“Ｈ”が出力端子を介してフォトＭＯＳリレーＰＣ２に入
力される。フォトＭＯＳリレーＰＣ２のフォトダイオードのアノードは電圧Ｖｄに接続さ
れ、カソードには“Ｈ”が入力されるため、アノード・カソード間に電位差が生じず、フ
ォトダイオードは非発光である。このとき、フォトＭＯＳリレーＰＣ２の出力側トランジ
スタが非導通であり、フォトＭＯＳリレーＰＣ２からは“Ｈ”がスイッチング回路４に出
力される。スイッチング回路４は、フォトＭＯＳリレーＰＣ２からの“Ｈ”の入力を受け
た状態では動作が許可される。また、通常動作モードでは、ラッチ回路１１の出力ＱはＬ
に固定される。なお、図示省略しているが、フォトＭＯＳリレーＰＣ２の出力側トランジ
スタのエミッタはＧＮＤに接続されている。このとき、トランジスタＴｒ１は、スイッチ
ング電源１００の出力により導通状態となり、セレクタスイッチには電圧ＧＮＤが供給さ
れ、セレクタスイッチはＬ端子が接続状態を維持する。
【００３６】
［待機モード］
待機モードでは、メインＣＰＵ１６への電圧の供給を停止するが、スイッチング回路４
を動作させて管理用ＣＰＵ１７への電圧の供給を行う。
【００３７】
待機モード時には、図３中段に示すように、パワー制御信号（ＣＰＵ  Ｐｏｗｅｒ  Ｃ
ｏｎｔ．）の論理、セレクタスイッチ１０の状態、フォトＭＯＳリレーＰＣ２の状態、ラ
ッチ回路１１の出力Ｑの論理は、通常動作モードと同様であり、スイッチング回路４の動
作が許可される。待機モードでは、メインＣＰＵ１６がオフされてメインＣＰＵ１６への
電圧の供給は停止されるとともに、管理用ＣＰＵ１７以外の各種回路への電源の供給が停
止される。一方、待機モードでは、スイッチング回路４は動作し、スイッチング回路４か
ら管理用ＣＰＵ１７に電圧が供給される。通常動作モードから待機モードへの移行は、リ
モコン等に割り当てられたボタン又は受信機画面上のソフトスイッチを操作することによ
り行われる。
【００３８】
［低消費電力待機モード］
通常動作モードまたは待機モードから低消費電力待機モードへの移行は、リモコン等に
設けられたボタンにより行われ、受信機本体が低消費電力待機モードへの移行指示を受け
付けると、管理用ＣＰＵ１６は、パワー制御信号（ＣＰＵ  Ｐｏｗｅｒ  Ｃｏｎｔ．）と
して“Ｌ”（ＧＮＤ）を出力する（図３下段）。通常動作モードまたは待機モードでは、
セレクタスイッチ１０はＬ端子に接続されているので、“Ｌ”がフォトＭＯＳリレーＰＣ
２に供給される。このとき、フォトＭＯＳリレーＰＣ２のフォトダイオードのアノードが
電圧ＶｄでカソードがＧＮＤとなるので、フォトダイオードが発光し、出力側トランジス
タが導通し、フォトＭＯＳリレーＰＣ２が“Ｌ”を出力する。スイッチング回路４は、フ
ォトＭＯＳリレーＰＣ２から“Ｌ”の入力を受けると、スイッチング動作を停止する。ス
イッチング回路４が停止すると、トランジスタＴｒ１のベース電流がゼロになり、トラン
ジスタＴｒ１が非導通となる。トランジスタＴｒ１が非導通となると、セレクタスイッチ
１０には切り替え信号として電圧Ｖｄが入力され、セレクタスイッチ１０はＨ端子を接続
状態とする。このとき、既にスイッチング回路４は停止しているが、コンデンサ１５に充
電された電荷により、電圧Ｖｄがラッチ回路１１、セレクタスイッチ１０及びフォトＭＯ
ＳリレーＰＣ２に供給される。ラッチ回路１１の出力Ｑは“Ｌ”のままであり、出力Ｑ“
Ｌ”はセレクタスイッチ１０のＨ端子に入力される。即ち、管理用ＣＰＵ１６がパワー制
御信号（ＣＰＵ  Ｐｏｗｅｒ  Ｃｏｎｔ．）として“Ｌ”（ＧＮＤ）を出力すると、スイ
ッチング回路４が停止され、スイッチング電源１００から管理用ＣＰＵ１７への電圧の供
給が停止されるが、コンデンサ１５が供給する電圧Ｖｄによりセレクタスイッチ１０とラ
ッチ回路１１とが接続されて、パワー制御信号（ＣＰＵ  Ｐｏｗｅｒ  Ｃｏｎｔ．）と同
じ論理“Ｌ”（電圧ＧＮＤ）がフォトＭＯＳリレーＰＣ２に供給され続け、スイッチング
回路４の停止が継続される。
【００３９】
一方、低消費電力モード移行後に、スイッチング電源１００を再起動するには、受信機
本体に設けられたＰｏｗｅｒＳＷを押下することにより行う。このＰｏｗｅｒＳＷは、一
端押下されて接点を閉じた後、付勢部材によって接点を開いた元の状態に復帰するスイッ
チである。ＰｏｗｅｒＳＷを押下すると、一次的に電圧ＶｄとＧＮＤが抵抗１３を介して
短絡され、ラッチ回路１１のＣＫ端子に“Ｈ”が入力され、出力Ｑが“Ｈ”に反転する。
出力“Ｈ”は、セレクタスイッチ１０のＨ端子から出力端子を介してフォトＭＯＳリレー
ＰＣ２に入力され、フォトダイオードを非発光とし、トランジスタを非導通とする。これ
により、フォトＭＯＳリレーＰＣ２がスイッチング回路４に“Ｈ”を出力し、スイッチン
グ回路４の動作が許可され、スイッチング回路４が動作を開始する。スイッチング回路４
の動作が開始すると、出力端子ＯＵＴに電圧が出力され、メインＣＰＵ１６、管理ＣＰＵ
１７を含む各種回路に電圧が供給される。また、トランジスタＴｒ１にベース電流が供給
され、トランジスタＴｒ１が導通する。トランジスタＴｒ１が導通すると、セレクタスイ
ッチ１０に供給される切り替え信号が“Ｌ”（ＧＮＤ）となり、セレクタスイッチ１０は
Ｌ端子を接続状態とする。スイッチング電源１００からの電圧の供給により立ち上がった
管理用ＣＰＵ１６は、通常動作モードでのパワー制御信号（ＣＰＵ  Ｐｏｗｅｒ  Ｃｏｎ
ｔ．）として“Ｈ”を出力し、パワー制御信号“Ｈ”は、セレクタスイッチ１０のＬ端子
、出力端子を介してフォトＭＯＳリレーＰＣ２に入力される。従って、フォトＭＯＳリレ
ーＰＣ２のフォトダイオードは非発光状態を継続し、出力側トランジスタは非導通状態を
継続する。このとき、フォトＭＯＳリレーＰＣ２からは“Ｈ”が出力され続け、スイッチ
ング回路４の動作を許可し続ける。以上のような処理を経て、ＰｏｗｅｒＳＷ押下により
テレビジョン受信機が通常動作モードで起動される。
【００４０】
［作用効果］
本実施形態に係るテレビジョン受信機によれば、低消費電力待機モードにおいてメイン
ＣＰＵ１６だけでなく、スイッチング電源１００自体を停止して管理用マイコン１７をも
停止させるので、待機時における消費電力を大幅に低減できる。
【００４１】
また、管理用ＣＰＵ１７からのパワー制御信号“Ｌ”によりスイッチング電源１００を
停止させた後は、コンデンサ１５に蓄積されていた電荷を利用して、ラッチ回路１１によ
りパワー制御信号“Ｌ”の論理（電圧）をラッチして、セレクタスイッチ１０によりラッ
チ回路とフォトＭＯＳリレーＰＣ２とを接続し、フォトＭＯＳリレーＰＣ２の出力を維持
することにより、スイッチング回路４の停止を継続する。従って、低消費電力待機モード
では、コンデンサ１５の電荷によりラッチ回路１１、セレクタスイッチ１０及びフォトＭ
ＯＳリレーＰＣ２のみを動作させておけば良く、従来のようにスイッチング電源１００を
動作させて管理用マイコン１７に電圧を供給し続ける場合に比較すると、大幅に消費電力
を低減できる。また、このような低消費電力待機モードを実現するために追加する回路構
成は、ラッチ回路１１、セレクタスイッチ１０、フォトＭＯＳリレーＰＣ２、コンデンサ
１５、トランジスタＴｒ１だけであり、簡易な回路構成で低コストに実現できる。
【００４２】
また、ユーザは、リモコン等に割り当てたボタン又は受信機の画面上のソフトスイッチ
を操作することにより、低消費電力待機モードへの移行を指示するのみで、ユーザは簡易
な操作で通常モード又は待機モードから低消費電力待機モードへ移行させることができる
。
【００４３】
また、テレビジョン受信機を低消費電力待機モードから通常モードに移行させるには、
受信機本体のＰｏｗｅｒＳＷスイッチを押下するのみで、スイッチング電源１００を立ち
上げることができ、通常モードへの復帰をユーザの簡易な操作で行うことができる。
【００４４】
従来のテレビジョン受信機では、待機時において、管理用ＣＰＵ１７やリモコン受光部
等に電源を供給していたため、例えば、管理用ＣＰＵ１７で８ｍＡ、リモコン受光部で５
ｍＡ、全体として１３ｍＡの電流が必要であった。これに対して、本実施形態のテレビジ
ョン受信機を低消費電力待機モードで動作させた場合には、例えば、ラッチ回路１１、セ
レクタスイッチ１０及びフォトＭＯＳリレーＰＣ２を合わせた消費電流は０．５ｍＡ以下
に抑えることができる。
【００４５】
［他の実施形態］
上記実施形態では、低消費電力待機モードにおいてリモコン受光部も停止させたが、低
消費電力待機モードでリモコン受光部にもＶｄ電圧を供給して、リモコン受光部を動作状
態とし、受光部出力をラッチ回路１１のＣＫ端子に入力した場合、リモコンのどれかのキ
ーを操作することにより低消費電力待機モードから通常モードに復帰させることができる
。
【００４６】
この場合でも、管理用ＣＰＵに電圧を供給しないので、従来のように待機時に管理用Ｃ
ＰＵを動作させる場合に比較して大幅に消費電力を低減できる。低消費電力待機モードに
おいてリモコン受光部を動作させた場合には、低消費電力待機モードで消費する電流は例
えば６ｍＡ程度となる。
【００４７】
上記ではフォトＭＯＳリレーＰＣ１及びＰＣ２を用いたが、一般的には消費電力は大き
くなるが、フォトＭＯＳリレーＰＣ１及びＰＣ２の代わりにフォトカプラを用いても良い
。
【００４８】
上記では、電子機器としてテレビジョン受信機を例に挙げて説明したが、本発明はスイ
ッチング電源を搭載した電子機器全般に適用可能である。電子機器としては、例えば、Ｃ
Ｄ記録及び／又は再生装置、ＤＶＤ記録及び／又は再生装置、パーソナルコンピュータ、
各種測定器、各種家電製品、ゲーム機等である。
【図面の簡単な説明】
【００４９】
【図１】従来のテレビジョン受信機のスイッチング電源の回路図。
【図２】本実施形態のテレビジョン受信機のスイッチング電源及びモード切替回路の回路図。
【図３】本実施形態のテレビジョン受信機のスイッチング電源において、通常モード、待機モード、低消費電力待機モードでの各回路構成、信号の状態を表す表。
【符号の説明】
【００５０】
１    整流回路
２    平滑回路（コンデンサ）
３    トランス
４    スイッチング回路
７    ダイオード
８    コンデンサ
９    シャントレギュレータ
１０  セレクタスイッチ
１１  ラッチ回路
１５  コンデンサ（バックアップ用）
１６  メインＣＰＵ
１７  管理用ＣＰＵ
１００  スイッチング電源
２００  モード切替回路
【図１】
2006136100.tif 000003
【図２】
2006136100.tif 000004
【図３】
2006136100.tif 000005